(57)【特許請求の範囲】
【請求項１】
ユニット本体の前面に撮影レンズが保持され、内部にシャッタを含む撮影機構が組み込まれ、前記ユニット本体内には、写真フィルムの一端を係止した回転自在なスプール軸を有するパトローネを収納するためのパトローネ収納室と、前記パトローネから引き出した未露光写真フィルムのロールを収納するためのフィルムロール収納室とが形成され、製造時にパトローネと該パトローネから引き出された未露光写真フィルムのロールがそれぞれ前記パトローネ収納室と前記フィルムロール収納室に予め装填されており、撮影ごとに前記スプール軸を回転させて露光済みの写真フィルムをパトローネに巻き込むようにしたレンズ付きフィルムユニットであって、
前記ユニット本体に対して固定関係にあり、周方向に間隔をもった位置において内周から外周まで貫通するように形成され前面がカム面となったカムを有するレンズ保持筒と、
撮影レンズが固定されており、前記レンズ保持筒内に回転及び光軸方向の移動が可能なように配置され、前記レンズ保持筒の前記カムに係合し前記レンズ保持筒の外面から突出するピンを外周に有するレンズ枠と、
予め定められた複数の設定位置に横方向移動可能なようにカメラ本体の前面に配置され、横方向に移動することによって前記レンズ枠上の前記ピンに係合して前記レンズ枠を回転させ、前記ピンと前記カム面との間の係合により該レンズ枠に光軸方向の移動を生じさせる切換部材と、
が設けられ、
前記切換部材は、中央部に横長の開口を有する枠部材であり、該枠部材の前記開口から前記レンズ枠が突出するように配置され、前記枠部材の背面に後方に突出するレンズ枠駆動ピンが設けられ、前記レンズ枠駆動ピンが前記レンズ枠上の前記ピンに係合して前記レンズ枠を回転させるようになった、
ことを特徴とするレンズ付きフィルムユニット。
【請求項２】
請求項１に記載したレンズ付きフィルムユニットであって、前記ユニット本体の前面には、前記切換部材を構成する枠部材を覆うように外カバー部材が取り付けられたことを特徴とするレンズ付きフィルムユニット。
【請求項３】
請求項１又は請求項２に記載されたレンズ付きフィルムユニットであって、前記レンズ枠には第１絞りが固定され、前記切換部材には前記第１絞りより小さい絞り開口を有する第２絞りが固定され、前記切換部材の複数の設定位置の一つにおいて前記第２絞りが撮影レンズの光軸上に置かれるようになったことを特徴とする撮影レンズのピント設定位置切換機構又はレンズ付きフィルムユニット。
【発明の詳細な説明】
【０００１】
【発明の属する技術分野】
本発明は、写真撮影用カメラに関する。特に本発明は、撮影時に撮影者が撮影レンズを２又はそれ以上の焦点設定位置に選択的に設定できるようにするための撮影レンズのピント設定位置切換機構に関する。もっと詳細に述べると、本発明は、例えばレンズ付きフィルムユニットや簡易カメラのような、簡易構造で、しかも撮影機能を持った製品に適用するのに適した撮影レンズのピント設定位置切換機構に関する。
【０００２】
【従来の技術】
撮影レンズ及びシャッタを含む撮影機構が組み込まれ、製造の時点で予め未露光フィルムのロールがユニット本体内に装填されたレンズ付きフィルムユニットは、例えば、実用新案登録掲載公報第2,564,847 号公報に記載されている。このレンズ付きフィルムユニットは、撮影の度ごとに露光済みのフィルムがパトローネ内に巻き込まれていくように構成されており、ユーザは、ユニットを購入して撮影し、撮影終了後にそのままの状態で現像所に現像依頼をすればよく、簡便な撮影機能製品として広く市場に受け入れられている。
【０００３】
このレンズ付きフィルムユニットには、構造を簡単にし、製造価格を低く抑制できるようにするために、通常は、撮影レンズとして単玉又は２枚構成レンズが使用される。この撮影レンズは、ユニット本体に固定されて、特定の一点のみにピント合わせされた状態にある。したがって、ピント合わせされた距離にない被写体は、撮影レンズの被写界深度を深くすることによっていわゆるピンぼけ状態を避けるようにする。しかし、最近では、レンズ付きフィルムユニットも、画面サイズや撮影レンズの焦点距離などについて、色々な種類のものが開発されており、多用な機能の製品が求められる状況にある。
【０００４】
このように多様化したレンズ付きフィルムユニットにおいては、使用される撮影レンズが長焦点距離のものである場合には、レンズのピント位置を製造時に正確に設定することが求められるようになっており、そのために、レンズの位置設定機構として種々の工夫をすることが必要になる。例えば、特開平7-261069号公報においては、望遠レンズを備えたレンズ付きフィルムユニットの製造段階で撮影レンズのピントを精密に設定し、その設定位置に該レンズを固定保持する機構が開示されている。しかし、このようなピント位置設定機構を備えたレンズ付きフィルムユニットにおいても、ピント位置設定後は、撮影レンズはその設定位置に固定されるため、複数のピント設定位置に撮影レンズを移動させることはできない。
【０００５】
【発明が解決しようとする課題】
本発明は、このような状況を考慮して得られたもので、例えば単玉又は２枚構成レンズのような単純な構成の撮影レンズを使用しながら、しかも、接近撮影や標準撮影、遠景撮影などの複数の撮影に適応でき、それぞれの場合において適切にピントが合った写真撮影を行うことができる、レンズ付きフィルムユニットその他の簡易カメラに使用するのに適した撮影レンズのピント設定位置切換機構を提供することを一つの課題とする。
【０００６】
本発明の他の課題は、上述した撮影レンズのピント設定位置切換機構を組み込んだレンズ付きフィルムユニットを提供することである。
【０００７】
【課題を解決するための手段】
上記課題を解決するため、本発明による撮影レンズのピント設定位置切換機構は、カメラ本体に固定され前面の周方向に間隔をもった複数位置にカム面を備えるレンズ保持筒と、該レンズ保持筒内に回転及び光軸方向の移動が可能なように配置され外周にレンズ保持筒のカム面に摺動係合する１個又は複数のピンを有するレンズ枠とを備える。撮影レンズは、レンズ枠に固定される。カメラ本体には、弾性材料製のレンズ枠保持腕が固定され、レンズ保持筒のカム面との間にレンズ枠上のピンを保持する。切換部材が、カメラ本体の前面に沿って、例えば横方向移動可能に配置され、移動することによってレンズ枠上のピンに係合してレンズ枠を回転させる。その結果、ピンとカム面との間の係合により該レンズ枠に光軸方向の移動が生じる。
【０００８】
本発明によるこの撮影レンズのピント設定位置切換機構を使用すると、撮影レンズのピント位置を、例えば４ｍ位置と６０ｃｍ位置の２つの位置に任意に切り換えることができる。また、別の形態としては、無限遠ピント位置と４ｍピント位置の切換が可能にすることもでき、カム面の形状を３段に構成することで、無限遠ピント位置と４ｍピント位置と６０ｃｍピント位置の３点に、任意選択的に設定できるようになる。
【０００９】
本発明の別の態様では、カメラ本体に固定関係で設けられるレンズ保持筒は、周方向に間隔をもった位置で内周から外周まで貫通し前向きの面がカム面となったカムを有するように形成される。このカムは、例えばカム溝の形態で構成される。レンズ枠の外周にはレンズ保持筒のカムに係合するピンが設けられる。このピンは、レンズ保持筒のカムが形成される部分を貫通して、レンズ保持筒の外面から突出する。カメラ本体の前面に横方向移動可能に配置される切換部材は、該切換部材が横方向に移動することによって前記レンズ枠上の前記ピンに係合して前記レンズ枠を回転させ、前記ピンと前記カム面との間の係合により該レンズ枠に光軸方向の移動を生じさせる。切換部材は、中央部に横長の開口を有する枠部材の形態に形成することができ、この場合には、該枠部材の開口からレンズ枠が突出するように配置される。枠部材には、その背面に後方に突出するようにレンズ枠駆動ピンが設けられ、このレンズ枠駆動ピンがレンズ枠上のピンに係合してレンズ枠を回転させる。
【００１０】
さらに、本発明は、上述したような撮影レンズのピント設定位置切換機構を備えたレンズ付きフィルムユニットを提供する。すなわち、本発明は、その一つの態様において、ユニット本体の前面に撮影レンズが保持され、内部にシャッタを含む撮影機構が組み込まれ、ユニット本体内には、写真フィルムの一端を係止した回転自在なスプール軸を有するパトローネを収納するためのパトローネ収納室と、パトローネから引き出した未露光写真フィルムのロールを収納するためのフィルムロール収納室とが形成され、製造時にパトローネと該パトローネから引き出された未露光写真フィルムのロールがそれぞれパトローネ収納室とフィルムロール収納室に予め装填されており、撮影ごとにスプール軸を回転させて露光済みの写真フィルムをパトローネに巻き込むようにしたレンズ付きフィルムユニットに、上述の形式の撮影レンズのピント設定位置切換機構を備えたレンズ付きフィルムユニットを組み込んだ構成を提供するものである。この場合、ユニット本体に対して固定関係にレンズ保持筒が設けられ、このレンズ保持筒に、周方向に間隔をもった位置において内周から外周まで貫通するように、前面がカム面となったカムが形成される。撮影レンズはレンズ枠に固定されており、該レンズ枠は、レンズ保持筒内に回転及び光軸方向の移動が可能なように配置される。レンズ枠は、ピンを外周に有し、このピンがレンズ保持筒のカムに係合し、レンズ保持筒の外面から突出する。カメラ本体の前面には、切換部材が横方向移動可能に配置され、横方向に移動することによってレンズ枠上のピンに係合してレンズ枠を回転させ、該ピンとカム面との間の係合により該レンズ枠に光軸方向の移動を生じさせる。切換部材は中央部に横長の開口を有する枠部材であり、該枠部材の開口からレンズ枠が突出するように配置される。枠部材の背面には、後方に突出するレンズ枠駆動ピンが設けられ、該レンズ枠駆動ピンがレンズ枠上のピンのレンズ保持筒の外面から突出する部分に係合してレンズ枠を回転させる。ユニット本体の前面には、切換部材を構成する枠部材を覆うようにカバー部材を取り付けることができる。
【００１１】
【発明の実施の形態】
図１は、本発明を実施したレンズ付きフィルムユニット１の一例を示す分解斜視図である。レンズ付きフィルムユニット１は、本体部３ａと前カバー３ｂと裏蓋３ｃとからなるユニット本体３を備える。図２及び図３に示すように、本体部３ａと裏蓋３ｃの間には、両端部にそれぞれパトローネ収納室５とフィルムロール収納室７が形成される。本体部３ａには、中央部に露光開口９が形成されている。レンズ付きフィルムユニット１の製造段階において、パトローネ１１入りの写真フィルムが用意され、パトローネ１１から未露光のフィルム１１ａが引き出されてフィルムロール１１ｂが形成される。未露光フィルム１１ａのパトローネ側の端は、該パトローネ１１内に回転自在に配置されたスプール軸１１ｃに固定される。
【００１２】
パトローネ１１はパトローネ収納室５内に収納され、フィルムロール１１ｂはフィルムロール収納室７に収納される。その後で、裏蓋３ｃが本体部３ａの裏側に取り付けられ、光密に固定される。裏蓋３ｃの内面には、露光開口９の後側に対応する位置に湾曲した水平断面のフィルム支持部３ｄが設けられ、パトローネ１１とフィルムロール１１ｂの中間位置にある未露光フィルム１１ａは、本体部３ａの裏側に形成されたフィルム支持部３ｅとこのフィルム支持部３ｄの間で保持される。別の実施形態として、フィルムロール室７に巻き取り軸（図示せず）を設け、フィルムパトローネ１１をパトローネ室５内に装填した後に、フィルム１１ａのリーダー部を該巻き取り軸に取り付けて裏蓋３ｃを閉じ、ユニット本体３の組立後に巻き取り軸を駆動回転させることにより、フィルムパトローネ１１から未露光フィルム１１ａを引き出して巻き取り軸にロール状に巻き取るようにしてもよい。
【００１３】
本体部３ａの前面には、レンズ保持筒１３ａを有するレンズホルダー１３が固定される。レンズ保持筒１３ａは、本体部３ａに形成した露光開口９と同軸に配置される。レンズホルダー１３と本体部３ａの間には、シャッタ機構を構成するセクター羽根１５が配置される。このセクター羽根１５を含むシャッタ機構は、フィルム１１ａの巻き上げ操作によりチャージされ、ユニット本体３の上面に設けられるシャッタレリーズボタンを押すことでレリーズされる。このシャッタ機構及びその作動機構はレンズ付きフィルムユニットの分野で周知であるので、詳細な説明は省略する。パトローネ１１へのフィルムの巻き上げのために、本体部３ａの上面には、パトローネ収納室５の上方位置にフィルム巻き上げノブ１１ｄが回転自在に設けられ、このフィルム巻き上げノブ１１ｄがパトローネ１１のスプール軸１１ｃに結合される。
【００１４】
レンズ保持筒１３ａは円筒形であり、レンズホルダー１３と一体にプラスチック材料により成型される。レンズ保持筒１３ａ内には、レンズ保持枠１７が回転及び軸方向移動自在に配置される。レンズ保持枠１７には、撮影レンズ１９が固定される。このレンズ１９は、単玉又は２枚構成の固定焦点距離レンズである。レンズ保持枠１７内には、レンズ１９より後側に、固定第１絞り２１が設けられる。本例では、撮影レンズ１９は焦点距離が１３５mmフィルム換算で３０mm程度の標準レンズであり、固定絞り２１は、標準撮影用のＦ１０程度の絞り値を有する。
【００１５】
図示した実施態様のレンズ付きフィルムユニット１は、ストロボ装置を内蔵する形式である。ストロボ装置２３は、ストロボ発光部２３ａと該ストロボ発光部２３ａの発光を制御する制御回路を備えたプリント基板２３ｂと充電用コンデンサ２３ｃを備える。ストロボ発光部２３ａと充電用コンデンサ２３ｃは、プリント基板２３ｂ上に支持される。本体部３ａには、露光開口９の上方にファインダー用対物レンズ２５が嵌め込まれたファインダー窓２７が形成されており、前側から本体部３ａを見たときストロボ発光部２３ａがファインダー窓２７より右側に位置するような関係で、プリント基板２３ｂが本体部３ａに固定される。
【００１６】
ストロボ装置２３のプリント基板２３ｂの前方には、ストロボ充電用スイッチ板２９が配置される。スイッチ板２９は、受け板２９ｂを介してプリント基板２３ｂ上に配置される。スイッチ板２９は、上下方向に摺動的に動くことができ、充電スイッチつまみ２９ａが設けられ、該スイッチつまみ２９ａを充電位置に置くことによってストロボ装置２３のコンデンサ２３ｃが充電される。コンデンサ充電用の電池３０は、レンズ付きフィルムユニットの技術分野で周知のように、ユニット本体３の下部に収納される。この状態を図３に示す。
【００１７】
本体部３ａの前面には、前カバー３ｂが取り付けられる。前カバー３ｂは、本体部３ａの前面のほぼ全体を覆うように形成されており、本体部３ａのファインダ−窓２７に重なるファインダー窓２７ａと、ストロボ発光部２３ａを前面に露出させるためのストロボ窓２３ｄと、スイッチ板２９上のスイッチつまみ２９ａをそのストローク範囲でユニット本体３の前面に露出させるためのストロボスイッチ開口２９ｂと、レンズホルダー１３のレンズ保持筒１３ａを通すためのレンズ開口１３ｂとを有する。レンズ保持筒１３ａは、前カバー３ｂのレンズ開口１３ｂを通って前方に延びる。前カバー３ｂの前面には外カバー３１が取り付けられ、該外カバー３１と前カバー３ｂの間に横方向に移動可能な切換部材３３が配置される。この状態を図４に示す。
【００１８】
図５及び図６に本発明を実施した撮影レンズのピント設定位置切換機構の詳細を示す。レンズホルダー１３から前方に延びるレンズ保持筒１３ａは、前面側に向いたカム面３５を有する。図示した実施態様では、このカム面３５は、レンズ１９の引っ込み位置を定める第１面３５ａと、レンズ１９の突出位置を定める第２面３５ｂ、及び第１面３５ａと第２面３５ｂの間を結ぶ斜面３５ｃとから構成される。カム面３５の前方には、該カム面３５から所定の間隔をおいて押さえ部３７が形成されている。したがって、カム面３５と押さえ部３７の間には、カム溝３９が形成される。カム溝３９は、レンズ保持筒１３ａの周方向に複数個所、例えば周方向等間隔に３個所形成される。一つのカム溝３９を形成する押さえ部３７の周方向の一端と、これに隣接するカム溝３９を形成する押さえ部３７の周方向の他端との間には、所定幅の光軸方向の溝４１が形成される。
【００１９】
レンズ枠１７には、周方向に複数個所、例えば周方向等間隔に３本のカム従動ピン１７ａが半径方向外向きに突出するように設けられる。このカム従動ピン１７ａは、溝４１からカム溝３９に挿入される。レンズ保持筒１３ａの押さえ部３７は弾性を有し、カム従動ピン１７ａを弾性的にカム面３５に押し付ける。図５に、カム従動ピン１７ａがカム溝３９に係合する状態を示す。
【００２０】
図５に示すように、切換部材３３は、中央に横長の開口３３ａを有する枠部材として構成される。切換部材３３は、レンズ保持筒１３ａが開口３３ａ内に挿入される状態で、該外カバー３１と前カバー３ｂの間に配置される。切換部材３３は、その後方に突出する一対のレンズ駆動ピン３３ｂを有し、このレンズ駆動ピン３３ｂの間にレンズ枠１７上のカム従動ピン１７ａが挟まれる。切換部材３３の下部には切換つまみ３３ｃが形成されており、この切換つまみ３３ｃが外カバー３１に形成したスリット３１ａから前方に突出する。したがって、この切換つまみ３３ｃを操作することによって切換部材３３を横方向に移動させることができる。切換部材３３が横方向に移動すると、該切換部材３３上のレンズ駆動ピン３３ｂがレンズ枠１３ａ上のカム従動ピン１７ａに係合してレンズ枠１３ａを回転させる。このレンズ枠１３ａの回転により、カム従動ピン１７ａがカム面３５上を摺動してカム作用を受け、レンズ枠１３ａが光軸方向に移動する。
【００２１】
切換部材３３が被写体に向かって右側の位置に設定されると、カム従動ピン１７ａがカム面３５の第１面３５ａに係合するようになり、カム従動ピン１７ａがこの位置にあるときには、レンズ枠１３ａ及び撮影レンズ１９が後方位置に置かれ、撮影レンズ１９は、例えば４ｍの距離にピント設定がされた遠方撮影のためのピント位置にある。逆に、切換部材３３が被写体に向かって右側の位置に設定され、カム従動ピン１７ａがカム面３５の第２面３５ｂ上にあるときには、レンズ枠１３ａ及び撮影レンズ１９が前方位置に前進させられ、例えば６０ｃｍの距離にピント設定された近接撮影のためのピント位置になる。
【００２２】
図５に示すように、被写体に向かって切換部材３３の右側には、開口３３ａ内に横向きに延びるように絞りアーム３３ｄが形成され、この絞りアーム３３ｄの先端に第２絞り３３ｅが形成されている。第２絞り３３ｅは、レンズ枠１７に設けられる第１絞り２１より小さい絞り開口を有する。切換部材３３が被写体に向かって右方向に動かされ、撮影レンズ１９が前方に繰り出されるとき、切換部材３３の絞りアーム３３ｄがレンズ保持筒１３ａに形成されたスリット溝３９ａを通って撮影レンズ１９の後方位置に挿入される。このとき、絞りアーム３３ｄの先端の第２絞り３３ｅが撮影レンズ１９の光軸上に位置する。このため、撮影用絞り開口は、第１絞りによるものよりも小さくなり、被写界深度が深くなる。その結果、接近撮影の場合のピントが合う範囲が拡がる。
【図面の簡単な説明】
【図１】  本発明を実施したレンズ付きフィルムユニットの全体を示す分解斜視図である。
【図２】  図１に示すレンズ付きフィルムユニットの水平断面図である。
【図３】  図１に示すレンズ付きフィルムユニットの垂直断面図である。
【図４】  図１に示すレンズ付きフィルムユニットの正面図である。
【図５】  本発明の一実施形態における撮影レンズのピント設定位置切換機構を示す分解斜視図である。
【図６】  本発明の一実施形態における撮影レンズのピント設定位置切換機構における切換部材の配置を示す分解斜視図である。
【符号の説明】
３・・・ユニット本体、３ａ・・・本体部、３ｂ・・・前カバー、
３ｃ・・・裏蓋、５・・・パトローネ室、７・・・フィルムロール室、
９・・・露光開口、１１・・・フィルムパトローネ、
１３・・・レンズホルダー、１３ａ・・・レンズ保持筒、
１７・・・レンズ枠、１９・・・撮影レンズ、２１・・・第１絞り、
３３・・・切換部材、３３ａ・・・開口、３３ｂ・・・レンズ駆動ピン、
３３ｅ・・・第２絞り、３５・・・カム面、３９・・・カム溝、
【図１】
0003814098.tif 000002
【図２】
0003814098.tif 000003
【図３】
0003814098.tif 000004
【図４】
0003814098.tif 000005
【図５】
0003814098.tif 000006
【図６】
0003814098.tif 000007